(57)【要約】本発明は、サーバ１からクライアント２へ映像データを送信するシステム１００に関する。システム１００は、サーバ１からクライアント２へ映像データを第１の品質でライブストリームとして送信するように設定された第１の符号化ユニット１０と、より高品質の第２の品質で映像データをメモリユニット１３に記憶し、クライアント２からの要求信号に応じて第２の品質の符号化映像データをメモリユニット１３からクライアント２へ送信するように設定された第２の符号化ユニット１１とを有する。該システムによって、映像データは手術室などの医療領域からネットワークを介して外の専門家へ送信可能となる。ライブストリーム式映像データは低品質で提供され、専門家の要求に応じて高品質で提供可能にしてある。本発明は、サーバからクライアントへ映像データを送信する方法にも関する。【選択図】図１
2018523341.tif 000002
【特許請求の範囲】
【請求項１】
サーバ（１）からクライアント（２）へ映像データを送信するシステムであって、
前記サーバ（１）から前記クライアント（２）へ映像データを第１の品質でライブストリームとして送信するように設定された第１の符号化ユニット（１０）と、
前記第１の品質よりも高品質の第２の品質で映像データをメモリユニット（１３）に記憶し、前記クライアント（２）からの要求信号に応じて、前記メモリユニット（１３）から前記クライアント（２）へ前記第２の品質の符号化映像データを送信するように設定された第２の符号化ユニット（１１）とを有するシステム。
【請求項２】
前記第１の品質は、映像データの第１の解像度及び映像データの第１の符号化パラメータのいずれか又は両方を示し、前記第２の品質は、映像データの第２の解像度及び第２の符号化パラメータのいずれか又は両方を示す、請求項１に記載のシステム。
【請求項３】
前記記憶された符号化映像データが、当該映像データのコンテンツにアクセスするためのインデックスを含む、請求項１又は２に記載のシステム。
【請求項４】
前記第１の符号化ユニット（１０）は、映像データを受信して前記第１の品質で該映像データを符号化するように設定されている、請求項１〜３のいずれか１項に記載のシステム。
【請求項５】
前記第１の符号化ユニット（１０）は、映像データの符号化に際して映像データにメタデータを追加するように設定され、該メタデータが映像データのコンテンツに関する情報を含む、請求項４に記載のシステム。
【請求項６】
前記第１の符号化ユニット（１０）は、映像データの符号化に際して映像データにイベント情報を追加するように設定されている、請求項４又は５に記載のシステム。
【請求項７】
前記イベント情報が、映像データにおける特定のシークエンスを指す、請求項６に記載のシステム。
【請求項８】
前記第２の符号化ユニット（１１）は、映像データを受信して前記第２の品質で該映像データを符号化してから前記メモリユニット（１３）に記憶するように設定されており、そして選択的に、メタデータ及びイベント情報のいずれか又は両方を受信して前記メモリユニット（１３）に記憶するようにも設定される、請求項１〜７のいずれか１項に記載のシステム。
【請求項９】
前記第１の品質の映像データを復号して表示装置（２２）に表示するように設定された第１の復号ユニット（２０）と、
前記第２の品質で映像データを要求し、該映像データを復号して前記表示装置（２２）に表示するように設定された第２の復号ユニット（２１）とを含む、請求項１〜８のいずれか１項に記載のシステム。
【請求項１０】
前記メモリユニット（１３）は、利用可能な帯域幅に従い映像データを前記第２の品質で前記第２の復号ユニット（２１）へ送信するように設定されている、請求項９に記載のシステム。
【請求項１１】
前記第２の復号ユニット（２１）は、前記第２の品質の映像データと、必要に応じてメタデータ及びイベント情報のいずれか又は両方とを、前記クライアント（２）の側の記憶装置（２３）に記憶するように設定されている、請求項９又は１０に記載のシステム。
【請求項１２】
前記第２の復号ユニット（２１）は、前記表示装置（２２）において、オーバーレイ表示情報と共に前記第２の品質の映像データを表示するように設定され、前記オーバーレイ表示情報がメタデータ及びイベント情報のいずれか又は両方である、請求項９〜１１のいずれか１項に記載のシステム。
【請求項１３】
前記表示中の映像データに応じるユーザ入力を受信し、該ユーザ入力を制御信号として前記サーバ（１）へ送信するように設定された制御ユニット（２４）を含む、請求項９〜１２のいずれか１項に記載のシステム。
【請求項１４】
複数のローカル映像ストリームを混合して共通ローカル映像ストリームを生成し、該共通ローカル映像ストリームを映像データとして前記第１の符号化ユニット（１０）へ提供するように設定された混合ユニット（１２）を含む、請求項１〜１３のいずれか１項に記載のシステム。
【請求項１５】
サーバ（１）からクライアント（２）へ映像データを送信する方法であって、
前記サーバ（１）から前記クライアント（２）へ映像データを第１の品質でライブストリームとして送信し（４０１）、
前記第１の品質よりも高品質の第２の品質で映像データを記憶し、前記クライアント（２）からの要求信号に応じて、前記クライアント（２）へ前記第２の品質の映像データを送信する（４０２）ことを含む、方法。
【発明の詳細な説明】
【技術分野】
【０００１】
本発明は、サーバからクライアントへ映像データ、特に、医療環境から外部クライアントへ診断目的のために送信される医療映像データ、を送信するためのシステムに関する。さらに、本発明は、これに相応する、サーバからクライアントへ映像データを送信する方法に関する。
【背景技術】
【０００２】
医療領域において、例えば手術室において顕微鏡検査画像を用いた手術中に癌組織型を決定する際には、画像に基づく遠隔協同アプリケーションが望まれる。このような場合、患者及び費用に関する負担を考慮に入れて安全な判定を行うことが必要である。組織型の顕微鏡診断のために病理学者などの専門家を手術室に呼び出す時間とお金がかかることをこのときに念頭に置く必要がある。診断のために組織片を研究所へ送るのも同様である。
【０００３】
専門家による遠隔診断を可能にするためには、映像データなどの画像を医療分野の専門家に対して送信する必要がある。ただし、確実な診断を可能にするには、迅速に且つ高品質な状態で映像データを専門家が利用可能でなければならない。高速伝送を確実にするために不可逆圧縮方法が使用されることが多いが、この方法は十分な品質を保証するものではない。
【発明の概要】
【発明が解決しようとする課題】
【０００４】
上記の背景に鑑みて、本発明は、高品質の映像データを迅速に供給可能とすることを目的とする。
【課題を解決するための手段】
【０００５】
当該目的に関し、サーバからクライアントへ映像データを送信するためのシステムが提案される。本システムは、サーバからクライアントへ映像データを第１の品質でライブストリームとして送信するように設定された第１の符号化ユニットと、第２の品質で映像データをメモリユニットに記憶し、クライアントからの要求信号に応じて、メモリユニットからクライアントへ第２の品質の符号化映像データを送信するように設定された第２の符号化ユニットとを有する。第２の品質は、第１の品質よりも高品質である。
【０００６】
符号化ユニットなど前記各ユニットは、ハードウェア又はソフトウェア、あるいはその両方で実現可能である。ハードウェアによって実施する場合、各ユニットは、それぞれが装置形態でもよく、あるいは、１つの装置の一部分の形態でもよい。例えば、コンピュータの形態、マイクロプロセッサの形態、又は車両の制御コンピュータの形態である。ソフトウェアによって実施する場合、各ユニットは、それぞれがコンピュータプログラムの形態、機能（ファンクション）の形態、ルーチンの形態、プログラムコードの形態、又は実行可能オブジェクトの形態とし得る。
【０００７】
本提案に係るシステムによって、空間的に又は時間的に、あるいは空間的に且つ時間的に離れている専門家に対して診断のために映像データを送信することが可能である。本提案において、第１の符号化ユニットはライブストリーム伝送を確実に行う。これは、例えばＨ．２６４又はＨＥＶＣといった圧縮方式を使用するなどして、映像データに関し低品質（第１の品質）で達成される。その上に要求があれば、すなわち例えばｈｔｔｐリクエストによる要求に応じて、要求された映像に関するＵＲＬにおいて符号化された細部を用い、高品質（第２の品質）でサーバからクライアントへ映像データを送信することが可能である。高品質での映像データの送信は、特に重要なシークエンス（一連のカット／シーン）など、映像データの特定の部分だけに対しても実行可能である。この場合に、細部は例えば要求において送信されるＵＲＬにおいて符号化することができ、同時に、複数の映像ストリームが存在する場合、どの映像ストリームが必要とされているか、又は映像データのどの区間が必要とされているか、といったさらなる情報を含んでもよい。
【０００８】
このようにして、医療領域又は例えば手術室などの環境からの画像情報、すなわち映像データが、オンライン、すなわちライブで遅延の少ない状態で、離れた所の専門家などのクライアントによって利用可能となる。その結果、離れた場所の専門家は、術者や顕微鏡機器などの医療装置とインタラクティブ（双方向）に（制御可能な範囲で）連携可能となる。
【０００９】
第２の符号化ユニットは、例えば、データベース又はリングメモリなどのバッファ記憶装置とすることのできるメモリユニットにおいて、第２の品質の映像データを記憶する。比較的高品質（又は高品質）の第２の映像データは、要求に応じてクライアントに送信する必要があるため、符号化済みの形式で記憶される。したがって、クライアントからの要求信号に応じて、例えば映像データの要求されたセクション（カット／シーン）又はシークエンスなど、第２の品質の符号化映像データは、メモリユニットからクライアントへ送信される。これによって、過去の映像に関する要求にも応じることが可能となる。
【００１０】
第２の品質の映像データは例えば部分単位で供給可能である。この方法によれば、すべての映像データを高品質で送信する必要はなく、外の専門家に必要な要求部分のみを送信すればよい。
【００１１】
この態様において、サーバとは、サーバ側の要素の意味であり、医療分野の映像データの伝送に関連する必要な要素のすべてを含み得る。また、クライアントは、サーバが映像データを表示するために送信する先の外部装置の意味である。この外部装置は、専門家によって使用可能である。
【００１２】
この態様において、映像データは、映像データを含む信号を意味する。
【００１３】
一態様において、第１の品質は、映像データの第１の解像度及び映像データの第１の符号化パラメータのいずれか又は両方のことを示し、第２の品質は、映像データの第２の解像度及び第２の符号化パラメータのいずれか又は両方のことを示す。
【００１４】
第１の品質では、高速伝送を可能にするために、映像データは比較的高度に圧縮される。したがって、通信帯域幅が制限されている場合でも、すなわちサーバからクライアントへ映像データを送信するためのネットワークが低帯域幅の場合であっても、確実に高速伝送が可能である。
【００１５】
高（診断に耐え得る）品質で迅速に且つ素早く選択可能な画像情報も専門家は必要とするので、クライアントからの要求信号に応じて、すなわちクライアントがそのように要求した場合に、高品質の第２の品質で映像データを供給する。この場合に、その映像データと関連付けられたメタデータ及びイベント情報も、当該映像データに関して利用可能とされる。
【００１６】
一例として、品質とは、映像データの解像度を指し、第２の解像度が第１の解像度よりも高い。解像度は空間解像度及び時間解像度（すなわちフレーム繰り返し数）のいずれか又は両方である。品質は、異なる符号化パラメータ、例えば量子化によって決定可能である。
【００１７】
別の態様によれば、記憶された符号化映像データは、映像データのコンテンツにアクセスするためのインデックスを含む。
【００１８】
映像データの特定のセクション又はシークエンスに対するアクセスを簡単にするために、映像データはインデックスを含み得る。このインデックスは、例えばイベント情報を使用して、あるいは一時的に、映像データの部分に対して付与される。
【００１９】
別の態様によれば、第１の符号化ユニットは、映像データを受信して第１の品質で映像データを符号化するように設定される。
【００２０】
第１の品質で映像データを符号化するために、Ｈ．２６４／ＡＶＣ又はＨ．２６５／ＨＥＶＣなどの圧縮方式を使用可能である。これによって、映像データのデータ量を減らすことができる。
【００２１】
別の態様によれば、第１の符号化ユニットは、映像データの符号化に際して映像データにメタデータを追加するように設定され、該メタデータが映像データのコンテンツについての情報を含む。
【００２２】
この場合のメタデータは、例えば映像データの自動分析の結果を示す情報であり得る。映像データが顕微鏡検査映像又は肉眼的観察映像である場合、例えば、サーバ側、すなわち手術室などの医療領域で自動的に分析を終わらせることが可能であり、この分析情報を送信映像データと統合させることができる。この場合、そのメタデータは個別のストリームで送信可能であり、シンタックスのレベルで、例えばＨ．２６４又はＨ．２６５ＳＥＩメッセージとして、映像ストリームに埋め込むことができ、これに加えて、あるいは、これに代えて、符号化前にオーバーレイ表示として映像コンテンツに堅くリンクさせることができる。
【００２３】
別の態様によれば、第１の符号化ユニットは、映像データの符号化に際して映像データにイベント情報を追加するように設定される。
【００２４】
この場合のイベント情報も同様に、個別のストリームで送信可能であり、シンタックスのレベルで、例えばＨ．２６４又はＨ．２６５ＳＥＩメッセージとして、映像ストリームに埋め込むことができ、これに加えて、あるいは、これに代えて、符号化前にオーバーレイ表示として映像コンテンツに堅くリンクさせることができる。
【００２５】
イベント情報は、例えばサーバ側イベントを指す情報であり得る。当該イベントは、映像データに統合するために、サーバ側で意図的に発生させることが可能である。
【００２６】
別の態様によれば、イベント情報は、映像データにおける特定のシークエンスを指す。
【００２７】
意図的に発生させたイベントとは、例えば、映像データにおける特定のシークエンスを指すものとしてよい。
【００２８】
別の態様によれば、第２の符号化ユニットは、映像データを受信して第２の品質で映像データを符号化してからメモリユニットに記憶する。第２の符号化ユニットは、選択的に（任意で）、メタデータとイベント情報のいずれか又は両方を受信してメモリユニットに記憶するようにも設定される。
【００２９】
このときのメタデータ及びイベント情報は、符号化前にオーバーレイ表示として画像素材に埋め込まれてはいない。映像素材、すなわち映像データが要求に応じてクライアントに送信されるときに、当該情報も同じく要求に応じて送信される。そして、クライアントの復号ユニットが該情報を適切な方法で、例えば復号後の映像に重ねたオーバーレイ表示として、提示する。
【００３０】
第２の符号化も同様に圧縮方式で実行可能であるが、いかなるレートでも映像データの高品質は実現される。
【００３１】
別の態様によれば、本システムは、第１の品質の映像データを復号して表示装置に表示するように設定された第１の復号ユニットと、第２の品質で映像データを要求し、該映像データを復号して表示装置に表示するように設定された第２の復号ユニットとを有する。
【００３２】
クライアント側において、映像データは、復号ユニットにより復号されて表示装置により提示される。この場合の第２の復号ユニットは、映像データが要求されて第２の品質で第２の復号ユニットに送信された場合のみ、有効となる。
【００３３】
別の態様によれば、メモリユニットが、利用可能な帯域幅に従い第２の品質で映像データを第２の復号ユニットへ送信するように設定されている。
【００３４】
この態様によれば、利用可能な帯域幅を考慮して第２の品質で映像データが送信される。例えば、十分な帯域幅が利用可能であれば、映像データは第２の品質で送信される。この方式によると、遅延の少ないことが重要な第１の品質での映像データの送信は影響を受けない。
【００３５】
その利用可能な帯域幅は、サーバ側で確認可能である。第２の復号ユニットは、例えば開始時間及び終了時間に基づいて、第２の品質の映像データのセクションを取り出すことが可能である。サーバからクライアントへデータを送信する際に利用可能な帯域幅は、ライブストリーム、すなわち第１の品質の映像データ伝送を保つために必要な帯域幅を、利用可能な全帯域幅から差し引くことによってサーバ側で決定可能である。映像データを第１の品質で送信するにあたり、その第１の品質を低減するほど、帯域幅要件をさらに下げ、そして第２の品質で要求された映像データを送信するための帯域幅をさらに提供することができる。
【００３６】
別の態様によれば、第２の復号ユニットは、第２の品質の映像データと、必要に応じてメタデータ及びイベント情報のいずれか又は両方とを、クライアント側の記憶装置に記憶するように設定される。
【００３７】
クライアント側で第２の品質の映像データ、関連付けられたメタデータ又はイベント情報（あるいはメタデータ及びイベント情報）を記憶することによって、該映像データを再生及び表示の更新に利用することができる。
【００３８】
サーバ側のメモリユニット及びクライアント側の記憶装置に記憶されたデータの全部又は一部は、ＰＡＣＳ（Picture Archiving and Communication System；画像保存通信システム）システムによって保管可能である。このＰＡＣＳシステムは、クラウドベースのものでもよい。
【００３９】
別の態様によれば、第２の復号ユニットは、表示装置において、オーバーレイ表示情報と共に第２の品質の映像データを表示するように設定される。該オーバーレイ表示情報はメタデータ及びイベント情報のいずれか又は両方とし得る。
【００４０】
映像データの復号に際し、第２の復号ユニットは、映像データに含まれている可能性のあるメタデータ及びイベント情報のいずれか又は両方を抽出する。表示装置に表示するときに、そのメタデータ及びイベント情報のいずれか又は両方も、映像データ自体に追加して同じく表示することができる。
【００４１】
別の態様によれば、本システムは、表示中の映像データに応じるユーザ入力を受信し、該ユーザ入力を制御信号としてサーバへ送信するように設定された、制御ユニットを有する。
【００４２】
この態様の制御信号は、クライアント側から、すなわち、例えば外の専門家によって、手術室の操作装置に対して送信可能である。当該操作装置は、例えば顕微鏡の位置決めを制御したりする。
【００４３】
別の態様によれば、本システムは、複数のローカル映像ストリームを混合して共通ローカル映像ストリームを生成し、該共通ローカル映像ストリームを映像データとして第１の符号化ユニットへ提供するように設定された混合ユニットを有する。
【００４４】
映像データは、混合ユニットによって結合されて信号を形成する複数の映像ストリーム（例えば異なるカメラからの）を含むことが可能である。復号時に、当該映像ストリームは再分離され、個別の画像として表示される。
【００４５】
まとめると、本提案に係るシステム及びその多様な態様は、以下の態様及びその利点を達成する。
【００４６】
・符号化ユニットによる、関係する映像源（顕微鏡検査、肉眼的観察）の高品質でリアルタイムの符号化。
・関係する映像源からの符号化ストリーム、映像の自動分析からのメタデータ、そして、例えばフットスイッチなどの入力機器によってトリガされ、記録データに注釈をつける際に使用されるイベント、のローカル記録。この場合、加えて、映像ストリーム、メタデータ及びイベントの相互の時間的同期に関する情報も記憶可能であり、記録データにアクセスするための（時間、メタデータ及びイベントに基づく）インデックスが作成可能である。
・接続中の専門家に対する手術室からのライブストリーミングのための、関係する映像源（顕微鏡検査、肉眼的観察）の適応型リアルタイム符号化。この場合、映像は、イベントに関するメタデータ又は情報で選択的にオーバーレイ表示可能であり、そして、複数の映像ストリームがローカルで混合されて１つのストリームを生成可能である。そのため（符号化制御、オーバーレイ表示、混合）に必要な制御信号は、最初に測定値（例えば符号化制御に関する専門家と手術室との間の瞬時帯域幅）に従い提供されるものとするか、又はユーザインタフェースによってローカル又はリモートで生成可能である。後者（生成）の場合、当該信号はネットワークを介して送信される。
・手術室から専門家への符号化ライブ映像信号の遅延の少ないストリーミング。
・映像信号のメタデータオーバーレイ表示及びローカル提示（混合）に関する選択及び構成オプションを付けた、専門家に対して又は手術室における、あるいはその両方での、ライブ映像信号の表示。
・記録された高品質の映像信号、メタデータ及びイベントに関する情報への専門家側からのアクセス、これらデータの記録の部分的ダウンロード、及びダウンロードしたデータの専門家側での記憶。高品質映像のダウンロードは、ライブストリームのデータレートに対し与えられる優先度をもつバックグラウンドで実行可能である。
・メタデータ及びイベントのオーバーレイを用いた映像信号の選択的オーバーレイ表示を伴う、専門家側でダウンロードしローカルに記憶した高品質映像信号の再生。この再生は、要求したデータがまだ完全にダウンロードされていなくても実行可能である（プログレッシブダウンロード）。
・例えば顕微鏡の位置決めなど、操作装置の制御をするための、専門家側から手術室への制御信号伝達。
・手術室側及び専門家側における記録からのデータの一部は、ＰＡＣＳシステムによって保管可能である。このＰＡＣＳシステムはクラウドベースでもよい。
・手術室と専門家との間で必要なネットワーク接続を構築可能とするために、中継器（クラウドベースでもよい）を使用可能である。
【００４７】
別の態様によれば、サーバからクライアントへ映像データを送信する方法が提案される。本方法は、サーバからクライアントへ映像データを第１の品質でライブストリームとして送信する過程と、クライアントからの要求信号に応じて、該クライアントへ第２の品質の映像データを送信する過程とを含み、その第２の品質が第１の品質よりも高品質である。
【００４８】
プログラム制御装置において上記方法を実行させるコンピュータプログラムも提案される。
【００４９】
コンピュータプログラムは、例えばメモリカード、ＵＳＢスティック、ＣＤ−ＲＯＭ、ＤＶＤなどの記憶媒体、又は例えばネットワークにおいてサーバからダウンロード可能なファイルの形式で、提供又は分配される。例えば、コンピュータプログラムを含んだ適切なファイルの伝送によって、無線通信ネットワークにおいて実施可能である。
【００５０】
本提案に係るシステムに関して上述した態様と特徴は、本提案に係る方法にも同様に当てはまる。
【００５１】
本発明のさらなる可能な実施の態様は、例示する形態に関して上述した又は後述する特徴又は態様の、明らかには引用していない組み合わせも含む。当業者は、本発明の各基本態様に対する改善又は追加として単独の態様を追加可能である。
【００５２】
本発明のさらなる有益な構成及び態様は、引用形式請求項と以下に説明する実施形態の主題である。次の図面を参照し、好適な実施形態に基づいて、以下に詳細に本発明を説明する。
【図面の簡単な説明】
【００５３】
【図１】サーバからクライアントへ映像データを送信するシステムの第１の実施形態を概略的に示すブロック図。
【図２】第２の実施形態による、図１のシステムのサーバ側を概略的に示すブロック図。
【図３】第２の実施形態による、図１のシステムのクライアント側を概略的に示すブロック図。
【図４】サーバからクライアントへ映像データを送信する方法を概略的に示すフローチャート。
【発明を実施するための形態】
【００５４】
各図において、特記しない限り、同じ要素又は同じ機能を有する要素には同一の参照記号を付してある。
【００５５】
図１は、サーバ１からクライアント２へ映像データを送信するシステム１００を示す。
【００５６】
サーバ側には、複数の映像ストリームを結合して１つの共通映像データ信号を生成することの可能な混合部１２が必要に応じて提供される。すなわち、混合部１２は任意で設けられる。
【００５７】
結合された映像データ信号（映像データとも呼ぶ）は、第１の符号化ユニット１０へ送られる。第２の符号化ユニット１１は、結合されていない映像ストリームを受信する。
【００５８】
第１の符号化ユニット１０は、第１の品質でサーバ１からネットワークインタフェース３０を介してクライアント２へ映像データを送信する。第１の品質の映像データは、本実施形態において、ライブストリームである。
【００５９】
クライアント側において、その第１の品質の映像データは、第１の復号ユニット２０によって受信、復号され、例えばモニタなどの表示装置２２に表示される。
【００６０】
第２の符号化ユニット１１は、第２の品質で映像データをメモリユニット１３に記憶する。クライアント２からの要求信号に応じて、メモリユニット１３からクライアント２へ映像データを送信することができる。本実施形態における第２の品質は、第１の品質よりも高い。
【００６１】
クライアント側において、第２の品質の映像データは、要求することによって第２の復号ユニット２１に受信され、復号されて表示装置２２に表示される。第２の復号ユニット２１は、当該映像データを、可能な場合は関連するメタデータ及びイベント情報のいずれか又は両方と共に記憶装置２３（図３参照）に記憶する。
【００６２】
図２及び図３は、システム１００の第２の実施形態を示し、図２はサーバ側、図３はクライアント側である。
【００６３】
複数の映像ストリーム３，４と、そしてメタデータ５及びイベント情報６も結合して、第１の符号化ユニット１０及び第２の符号化ユニット１１へ供給可能とされている。本実施形態において、第１の符号化ユニット１０は、メタデータ５及びイベント情報６と共に映像データ３，４を符号化したデータ及び情報を提供する。一方、第２の符号化ユニット１１は、映像データ３，４のみを符号化してメモリユニット１３に記憶する。メタデータ５及びイベント情報６もメモリユニット１３に記憶される。
【００６４】
システム１００のサーバ側設備１は、例えば、伝送時のライブストリームの帯域幅優先化に使用されるアプリケーションフロントエンド１４を提供する。このフロントエンド１４は、クライアントに対し様々なインタフェース７，８，９を作動させるために使用可能である。フロントエンド１４は、次に述べるように、第１の符号化ユニット１０とメモリユニット１３、さらにはインタフェース７，８，９の間のネットワーク層として使用される。
【００６５】
サーバ１とクライアント２との間には異なるインタフェースが提供されている。すなわち、インタフェース７はライブストリームのためのものであり、インタフェース８は、第２の品質の映像データをアクセスする（記録アクセス又はメモリアクセスとも呼ぶ）ためのものであり、インタフェース９は制御用のものである。
【００６６】
制御用インタフェース９は、例えば、映像データの分析に対して反応するために、クライアント２からサーバ１へ制御信号を送信するために使用される。この制御信号によって、専門家側は、一例として、顕微鏡の位置決めなどの手術室における操作装置の制御を実行できる。当該制御信号は、アプリケーションコントローラ２４によってクライアント側２で生成可能である。
【００６７】
図４は、サーバ１からクライアント２へ映像データを送信する方法を示す。本方法は、過程４０１と過程４０２を含む。
【００６８】
過程４０１では、映像データを第１の品質で、サーバ１からクライアント２へライブストリームとして送信する。
【００６９】
過程４０２では、クライアント２からの要求信号に応じて、映像データを第２の品質でクライアント２へ送信する。この第２の品質は、第１の品質よりも高品質である。
【００７０】
本発明について実施形態に基づき説明したが、様々に修正可能であるのはもちろんである。
【符号の説明】
【００７１】
１  サーバ（サーバ側設備）
２  クライアント（クライアント側設備）
１０  第１の符号化ユニット
１１  第２の符号化ユニット
１３  メモリユニット
２０  第１の復号ユニット
２１  第２の復号ユニット
２２  表示装置
２３  記憶装置
２４  制御ユニット
３０  ネットワークインタフェース
１００  システム
【図１】
2018523341.tif 000003
【図２】
2018523341.tif 000004
【図３】
2018523341.tif 000005
【図４】
2018523341.tif 000006
【国際調査報告】
2018523341.tif 000007
2018523341.tif 000008
2018523341.tif 000009
2018523341.tif 000010
2018523341.tif 000011
2018523341.tif 000012
2018523341.tif 000013